(57)【要約】印刷ユニット内の回転式シリンダにインキ、ラッカー、接着剤等を塗布するように配置された、印刷ユニット用ドクターブレードシステムであって、支持部分及び少なくとも１つの締め付け部分を有する細長いフレームを備え、該フレームがシリンダの外側に且つシリンダに平行に配置され、またフレームの各締め付け部分には、やはりシリンダに平行に位置し、且つ作動位置ではシリンダに当接して拭うように配置される細長いドクターブレードが取り付けられ、各締め付け部分がドクターブレードを部分的に導入して締め付け手段によって固定されるようにする細長いスリットを有し、締め付け手段（３）がドクターブレード（５）に減衰作用を与えるように弾性的に配置される、印刷ユニット用ドクターブレードシステムが開示されている。本発明はまた、ドクターブレード締め付け装置、チャンバードクターブレードシステム、印刷ユニット、ドクターブレードを締め付ける方法、及びチャンバードクターブレードフレームの締め付け部分を取り付ける方法に関する。
2007516874.tif 000002
【特許請求の範囲】
【請求項１】
印刷ユニット内の回転式シリンダにインキ、ラッカー、接着剤等を塗布するように配置された印刷ユニット用ドクターブレードシステムであって、支持部分及び少なくとも１つの締め付け部分を有する細長いフレームを備え、該フレームが前記シリンダの外側に且つ該シリンダに平行に配置され、また前記フレームの各締め付け部分には、やはり前記シリンダに平行に位置し、且つ作動位置では前記シリンダに当接して拭うように配置される細長いドクターブレードが取り付けられ、各締め付け部分がドクターブレードを部分的に導入して締め付け手段によって固定されるようにする細長いスリットを有し、前記締め付け手段（３、４、４ｂ、２’、２”、３’、４’）が前記ドクターブレード（５）に減衰作用を与えるように弾性的に配置されることを特徴とする、印刷ユニット用ドクターブレードシステム。
【請求項２】
前記締め付け手段が前記スリット（６）内に密接状にはめ込まれることを特徴とする、請求項１に記載のドクターブレードシステム。
【請求項３】
前記締め付け手段が摩擦によって前記ドクターブレード（５）を保持することを特徴とする、請求項１又は２に記載のドクターブレードシステム。
【請求項４】
前記締め付け手段が、前記ドクターブレード（５）の、前記スリット（６）内に導入された部分の側部の少なくとも一方を支持するように配置されることを特徴とする、請求項１〜３のいずれか１項に記載のドクターブレードシステム。
【請求項５】
前記締め付け手段が前記スリット（６）内に弾性的に収容されることを特徴とする、請求項１〜４のいずれか１項に記載のドクターブレードシステム。
【請求項６】
前記締め付け手段が前記スリット（６）内に取り外し可能に配置されることを特徴とする、請求項１〜５のいずれか１項に記載のドクターブレードシステム。
【請求項７】
前記締め付け手段が少なくとも１つのエラストマー部材を有することを特徴とする、請求項１〜６のいずれか１項に記載のドクターブレードシステム。
【請求項８】
前記エラストマー部材の一部分が、前記スリットの断面プロファイルにはまってロックするようにした形状を有するウェッジストリップとして形成されることを特徴とする、請求項７に記載のドクターブレードシステム。
【請求項９】
エラストマー部材の一部分が、前記ドクターブレード（５）の、前記スリット（６）内に導入された縁部（５’）を弾性的に支持することを特徴とする、請求項７又は８に記載のドクターブレードシステム。
【請求項１０】
前記エラストマー部材が、ショア硬度が約７０度であることを特徴とする、請求項７、８又は９に記載のドクターブレードシステム。
【請求項１１】
前記フレーム（９）の締め付け部分（２）及び前記支持部分（１０）が個別部品であり、また、前記支持部分（１０）の端部分（１０’）が弾性締め付け手段（１１）によって導入され、且つ締め付けられることを特徴とする、請求項１〜１０のいずれか１項に記載のドクターブレードシステム。
【請求項１２】
ドクターブレードを導入するようにしたスリットを有する固体材料製のドクターブレード締め付け部分と、前記ドクターブレードを締め付けるための締め付け手段とを有するドクターブレード締め付け装置であって、前記締め付け手段（３、４、４ｂ、２’、２”、３’、４’）が前記ドクターブレード（５）に減衰作用を与えるように弾性的に配置されることを特徴とする、ドクターブレード締め付け装置。
【請求項１３】
前記締め付け手段が前記スリット（６）内に密接状にはめ込まれることを特徴とする、請求項１２に記載のドクターブレード締め付け装置。
【請求項１４】
前記締め付け手段が摩擦によって前記ドクターブレード（５）を保持することを特徴とする、請求項１２又は１３に記載のドクターブレード締め付け装置。
【請求項１５】
前記締め付け手段が、前記ドクターブレード（５）の、前記スリット（６）内に導入された部分の側部の少なくとも一方を支持するように配置されることを特徴とする、請求項１２〜１４のいずれか１項に記載のドクターブレード締め付け装置。
【請求項１６】
前記締め付け手段が前記スリット（６）内に弾性的に収容されることを特徴とする、請求項１２〜１５のいずれか１項に記載のドクターブレード締め付け装置。
【請求項１７】
前記締め付け手段が前記スリット（６）内に取り外し可能に配置されることを特徴とする、請求項１２〜１６のいずれか１項に記載のドクターブレード締め付け装置。
【請求項１８】
前記締め付け手段が少なくとも１つのエラストマー部材を有することを特徴とする、請求項１２〜１７のいずれか１項に記載のドクターブレード締め付け装置。
【請求項１９】
前記エラストマー部材の一部分が、前記スリットの断面プロファイルにはまってロックするようにした形状を有するウェッジストリップとして形成されることを特徴とする、請求項１８のいずれか１項に記載のドクターブレード締め付け装置。
【請求項２０】
エラストマー部材の一部分が、前記ドクターブレード（５）の、前記スリット（６、１２）内に導入された縁部（５’）を弾性的に支持することを特徴とする、請求項１８又は１９に記載のドクターブレード締め付け装置。
【請求項２１】
前記エラストマー部材が、ショア硬度が約７０度であることを特徴とする、請求項１８〜２０のいずれか１項に記載のドクターブレード締め付け装置。
【請求項２２】
印刷ユニット内の回転式シリンダにインキ、ラッカー、接着剤等を塗布するように配置された印刷ユニット用チャンバードクターブレードシステムであって、支持部分及び２つの締め付け部分を有する細長いフレームを備え、該フレームが前記シリンダの外側に且つ該シリンダに平行に配置され、また前記フレームの各締め付け部分には、やはり前記シリンダに平行に位置し、且つ作動位置では前記シリンダに当接して拭うように配置される細長いドクターブレードが取り付けられ、各締め付け部分がドクターブレードを部分的に導入して締め付け手段によって固定されるようにする細長いスリットを有し、前記フレーム（９）の前記締め付け部分（２）及び前記支持部分（１０）が個別部品であり、また、前記支持部分（１０）の端部分（１０’）が弾性締め付け手段（１１）によって導入され、且つ締め付けられることを特徴とする、印刷ユニット用チャンバードクターブレードシステム。
【請求項２３】
請求項１〜１１及び２２のいずれか１項に記載のドクターブレードシステムを特徴とする印刷ユニット。
【請求項２４】
スリット内にドクターブレードを導入して締め付け手段によって締め付けるようにする、スリットを有する固体材料製の細長い締め付け部分を有する締め付け装置内に、ドクターブレードを取り外し可能に締め付ける方法であって、
前記ドクターブレード（５）の一部分を前記スリット（６）内に挿入するステップと、
前記ブレード（５）の、前記スリット内に収容されている前記部分の少なくとも一方の側部を弾性的に支持する弾性締め付け手段を挿入するステップと
を含むことを特徴とする、ドクターブレードを取り外し可能に締め付ける方法。
【請求項２５】
前記締め付け手段を挿入する前に、前記締め付け手段を潤滑するステップを含むことを特徴とする、請求項２４に記載の方法。
【請求項２６】
エラストマー部材を有する締め付け手段を手動で挿入するステップを含むことを特徴とする、請求項２５に記載の方法。
【請求項２７】
前記ドクターブレード締め付け装置をほぼＵ字形のプロファイルに取り付けるステップを含むことを特徴とする、請求項２４〜２６のいずれか１項に記載の方法。
【請求項２８】
第１及び第２スリット（６、１２）を有する締め付け部分（２）であって、前記第１スリット（６）内にドクターブレードを導入して、締め付け手段によって締め付けるようにした締め付け部分（２）を、チャンバードクターブレードシステムの、端部分（１０’）を有するフレーム（９）の支持部分（１０）に取り外し可能に取り付ける方法であって、
前記端部分（１０’）を前記第２スリット（１２）内に導入するステップと、
前記締め付け部分の少なくとも一方の側部を弾性的に支持する弾性締め付け手段（１１）を挿入するステップと
を含む、締め付け部分（２）を取り付ける方法。
【発明の詳細な説明】
【技術分野】
【０００１】
本発明は、請求項１のプリアンブル(preamble)によるドクターブレードシステムに関する。本発明はさらに、請求項１２のプリアンブルによるドクターブレード締め付け装置に関する。本発明はさらに、請求項２２のプリアンブルによるチャンバードクターブレードシステムに関する。本発明はまた、請求項２３のプリアンブルによる印刷ユニット(printing  unit)に関する。最後になるが本発明は、請求項２４のプリアンブルによるドクターブレードを締め付ける方法、及び請求項２８のプリアンブルによるチャンバードクターブレードフレームの締め付け部分を取り付ける方法に関する。
【背景技術】
【０００２】
［背景］
チャンバードクターブレード等のドクターブレードは、輪転印刷ユニット、特にフレキソ印刷ユニットにおいて、印刷ユニット内に設けられた回転式シリンダにインキ、ラッカー、接着剤等を塗布するために広範に使用されている。たとえばフレキソ印刷ユニットでは、チャンバードクターブレードが、スクリーンローラにインキを付ける働きをする。これは、チャンバードクターブレードによってローラのセル又は凹部をインキで満たすことによって行われる。そのようなチャンバードクターブレードは、たとえばＷＯ９３／２４３２８に開示されている。このタイプのチャンバードクターブレードは、２つの細長いドクターブレードを設けた細長いフレームを有し、これらのドクターブレードは、チャンバードクターブレードの長手軸が、たとえばインキを保持する細長いチャンバーを画定するようにして、ローラの傍らに配置される。インキ等をローラの外周面に塗布するとき、チャンバードクターブレードがそれに当接する。各ドクターブレードの機能は、ローラの回転方向に応じて変化する。ドクターブレードの一方、すなわち拭いドクターブレードは余剰インキを拭い落とし、他方はシール機能を有するだけである。
【０００３】
スクリーンローラのインキ付けは、印刷結果にとって極めて重要である。スクリーンローラに均一にインキ付けを行うことが特に重要であり、このことは、ローラとドクターブレードとの間の距離を正確に設定しなければならないことを意味する。その結果、一般的に印刷ユニットの機械フレーム内に締め付けられるチャンバードクターブレードは、良好な曲げ剛性及びねじり剛性を示さなければならない。
【０００４】
したがって、従来技術によるチャンバードクターブレードは頑強なフレームを有し、これは一般的に固く、且つ一体成形されており、これにドクターブレードが取り付けられる。たとえば、ＥＰ−Ａ−０３５０８３９及びＷＯ−Ａ−８９／０７０４７は、このタイプのチャンバードクターブレードを教示している。
【０００５】
従来より、そのようなドクターブレードフレームは、中実の鋳鉄又はアルミニウム、或いは軽量化のために補強ばねを設けた鉄又はアルミニウムの圧縮成形ブランクで作製される。しかしながら、これらの既知の構造には幾つかの重大な問題点がある。第１に、チャンバードクターブレードは非常に重く、且つ扱いにくくなり、したがって、たとえばクリーニング又は交換をしようとするとき、印刷ユニットから取り外すことが困難である。鋳鉄チャンバードクターブレードの取り外しには、一般的に二人必要である。第２に、各長さのチャンバードクターブレード用に１つの鋳込み型が必要である。第３に、鋳鉄構造は当然ながら腐食しやすく、チャンバー内を循環する印刷インキは多くの場合に腐食性成分を含有するので、これは非常に不都合である。
【０００６】
市場では、押し出しアルミニウム形材で一体状に構成されたドクターブレードフレームも提供されているが、これらは上記問題に対して満足できる解決策を提供していない。予想されるひずみに耐え、且つ十分な曲げ剛性及びねじり剛性を得るために、アルミニウム形材を比較的厚くしなければならず、したがって、チャンバードクターブレードは結局のところ無駄に重くなるであろう。さらに、印刷インキはアルミニウムを攻撃する塩基性物質をしばしば含むので、アルミニウム形材もまた腐食しやすい。
【０００７】
上記要件に加えて、インキ室は当然ながらシールされなければならない。ローラの意図した回転方向で余剰インキを除去するドクターブレードは作動ドクターブレードであり、他方のドクターブレードはシール機能を有するだけである。回転方向が逆であるとき、それは当然ながらまったく反対である。インキをローラに均一に分散させ、且つ下側のドクターブレード（それがシール側であるとき）から落下するインキの量を最小限に抑えるのにまったく正しいやり方で、２つのドクターブレードをスクリーンローラの外周面に当接させなければならない。さらに、これに関してチャンバーの各端部に特別なシールが必要である。インキ室の端部に設置され、高分子材の幾つかの薄いシールラメラ(lamellae)で作製された圧力及びラビリンスシールから成るシールユニットを教示する米国特許第４，５８１，９９５号を参照されたい。
【０００８】
米国特許第５，６７１，６７３号は、良好な剛直化及び補強効果を得るために、チャンバードクターブレードのフレームが、相互連結された金属形材のアセンブリから成るチャンバードクターブレード装置を教示している。金属形材から成るフレームは、ドクターブレードを当接させようとするシリンダとフレームとの間に接触距離を確保する曲げ剛性及びねじり剛性ユニットを形成すべきである。フレームをそのような構成にすれば、強度標準を低下させることなく、チャンバードクターブレード全体をはるかにより高く且つ細長い構造にすることができる。
【０００９】
米国特許第５，６７１，６７３号によるチャンバードクターブレード装置は、締め付けストリップ、ストリップ・ブレードホルダ又は単一のドクターブレードを有する内部チャンバー、チャネル及び外部チャンバーをも有し、印刷ユニット内において、部品数、不必要なインキ付き表面、及び簡単且つ効果的なクリーニングを行うのにアクセスが困難であるキャピラリースロット(capillary  slot)を有する隅部が多すぎる。
【００１０】
従来型ドクターブレードシステムの一般的な問題は、ドクターブレード、及びブレードが当接するシリンダが急速に摩耗することであり、それは高コストであり、且つブレード及びシリンダの頻繁な交換及び頻繁なクリーニング作業の原因になる。
【００１１】
ドクターブレードシステムに生じる別の問題は、ドクターブレード締め付け部分が破損したとき、ドクターブレードシステム全体を交換するか、又は修理に出さなければならないことである。
【発明の開示】
【発明が解決しようとする課題】
【００１２】
［発明の目的］
本発明の１つの目的は、軽量であるにもかかわらず、回転式シリンダの均一なコーティング（cover）を確実に行うのに十分な曲げ剛性及びねじれ剛性を有し、それにより、ドクターブレードがシリンダに均一に当接するようにしたドクターブレードシステムを提供することである。
【００１３】
本発明の別の目的は、クリーニング及び保守点検が容易であるドクターブレードシステムを提供することである。
【００１４】
本発明のさらなる目的は、ドクターブレードとともに回転式シリンダのセル及びセル壁に加わる応力が減少するドクターブレードシステムを提供することである。
【００１５】
本発明のさらなる目的は、ドクターブレード及び印刷機(printing  press)内部及び外部の端部シールの簡単、安全且つ素早い交換を容易にするドクターブレードシステムを提供することである。
【００１６】
本発明のさらなる目的は、チャンバーを印刷機から取り外す必要なく、インキの簡単且つ迅速な交換を容易にするドクターブレードシステムを提供することである。
【００１７】
本発明のさらに別の目的は、比較的容易に修理することができるチャンバードクターブレードシステムを提供することである。
【課題を解決するための手段】
【００１８】
［発明の概要］
上記の目的及び以下の説明から明らかになる他の目的は、冒頭で述べたタイプのものであり、加えて添付の請求項１、１２、２２、２３、２４及び２８の特徴部分に記載した特徴を示すドクターブレードシステムによって達成される。本発明によるドクターブレードシステム及び方法の好適な実施形態が、添付の従属請求項２〜１１、１３〜２１及び２５〜２７に定められている。
【００１９】
本システムによって与えられる利点は、ドクターブレードがその長辺全体に沿って非常に均一な締め付け力で保持されており、その結果、もしスリットがまっすぐであれば、ブレードはまっすぐ且つ平面的な把持状態で保持され、これにより、ドクターブレードがローラに均一に接触することである。
【００２０】
別の利点として、ドクターブレードはその締め付けの際に少なくとも１つのエラストマー部材又は相当物によって全体的又は部分的に包囲されるので、ローラ内に形成されてドクターブレードに影響を与えるセルからの応力及び振動が、特にネガティブドクタリング(negative  doctoring)により、減衰され、１つの減衰の対象は、主にセル間の壁／バーからの衝撃である。これは、ブレードとともにローラのセル及びセル壁の摩耗を低減させ、それにより、これらの摩耗がより低速化し、結果的にその寿命が延びる。このことは、ローラの表面が一般的にクロムメッキ銅から成り、摩耗を受けやすい彫刻セルを有するグラビア印刷でのドクターブレードに特に重要である。レーザ彫刻セラミックコーティングがスクリーンローラの表面を提供するフレキソ等の他の用例では、主にドクターブレードの摩耗が低減する。
【００２１】
本発明のさらなる利点は、ウェッジストリップとして形成された部分を有するエラストマー部材を使用することにより、ドクターブレードの取り外し及び交換が非常に容易且つ迅速になることである。さらに、アクセスが困難であるキャピラリースロットを有する隅部がほとんどないので、ドクターブレードシステムのクリーニングが簡単且つ効果的である。
【００２２】
ウェッジストリップを適当な潤滑剤で潤滑することの利点は、ブレードがまだスリットの底部に当たる位置にない場合、潤滑剤が容易にブレードを押し下げてスリットの底部に当てることができることである。
【００２３】
ブレードがエラストマー部材によって部分的に包囲されるだけである、ブレードの締め付けの簡略形実施形態によって与えられる利点は、簡単な適用により、ドクターブレードの取り外しがさらにもっと簡単になり、クリーニングのためのアクセスが容易になり、ドクターブレードが膨れてエラストマー部材に当接することによって、限定的ながら減衰作用を有することである。膨れてエラストマー部材に当接する結果、上記ローラに対するドクターブレードの接触の追加的な補償が同時に行われる。
【００２４】
個別の締め付け装置をフレームに適用させるためにエラストマー部材を使用することによって得られる利点は、しっかりした固定が達成されると同時に、破損時には締め付け装置だけの交換又は修理を行う可能性が与えられることである。これはコストを低減させる。
【００２５】
以下の詳細な説明を添付図面と組み合わせて読めば、本発明をさらに十分に理解することができるであろう。幾つかの図面を通して、同様の参照記号で同様の部品を示す。
【発明を実施するための最良の形態】
【００２６】
［発明の詳細な説明］
図１ａは、本発明の第１実施形態によるドクターブレード締め付け装置１を示す。締め付け装置１は、締め付け部分と、エラストマー部材３、４の形をとる締め付け手段とを有し、該エラストマー部材は、固体材料内の一定のプロファイルを有する細長いスリット６内に収容されて、好ましくはバンド形材料のドクターブレード５を摩擦によって長辺に沿って保持する。ドクターブレード５は、鋼、高分子又は複合材料等の任意の適当な材料製にすることができる。エラストマー部材３、４は、たとえばショア硬度が約７０度のＥＰＤＭであることができる。
【００２７】
スリット６内に取り付けられたエラストマー部材３の一部分は、ウェッジストリップ３として形成され、これは、手で所定位置から徐々に引き出すことによって容易に取り外されることができる。これは好ましくは、エラストマー部材３の上縁部を曲げることによって達成される。ウェッジストリップ３を引き伸ばしたとき、その断面積が減少し、そのため、それはスリット６から容易に這い出すことができる。それにより、締め付け／摩擦結合が開いて、ドクターブレード５を容易に取り外し、且つ新しいブレードと交換することができる。図１ｂは、図１ａによるドクターブレード締め付け装置１を、エラストマー部材３の一部分を取り外した状態で示す。
【００２８】
エラストマー部材の、スリット６内に収容されている残り部分４は、そのままであっても、クリーニングのために取り外されてもよい。
【００２９】
新しいドクターブレード５をスリット６内に収容した後（図１ｂを参照）、ウェッジストリップ３、４を適当な潤滑剤で潤滑し、次に手でストリップを押してその上縁部を曲げることにより、ドクターブレードにその一端部から他端部まで徐々に取り付ける。
【００３０】
次に、ドクターブレード５が実際にエラストマー部材４の支持部分に当接しているか、又は代替実施形態によれば、部材４ｂに当接しているか、又はブレードの自由突出状態の長辺に沿ってスリット６の底部７の方に押し付けることによってラグ(rag)を手動で案内することにより、スリット６の底部７に当接しているかを検査する。まだスリット６の底部７に当接していない場合、潤滑がブレード５を下方に摺動させてスリット６の底部７に当接させる。そのうちに、潤滑剤がスリット６内に作用する力によって抑制され、それにより、ドクターブレード５及びウェッジストリップ３間の摩擦が相当に増大し、ブレード５の十分な固定が行われる。
【００３１】
図２ａは、本発明の第２実施形態によるドクターブレード締め付け装置１を示す。これは、ブレード５の締め付けの簡略形であり、ブレード５はエラストマー部材３、すなわちブレードが膨らんで当接する側部とスリット６の底部７とによって部分的に包囲されるだけである。したがって、第２実施形態によれば、締め付け手段は、エラストマー部材３と、好ましくはエラストマー底部支持体４ｂとを有する。
【００３２】
図３ａ、図３ｂ及び図３ｃは、本発明の第３実施形態によるドクターブレード締め付け装置１を示す。これはブレード５の締め付けのさらに簡略化した応用例であり、ブレード５はエラストマー部材３によって部分的に包囲されているだけである。この場合、ブレード５がウェッジストリップ／エラストマー部材３の側から曲げ力を受けるとき、ブレードがある程度膨らんでエラストマー部材３に当接することによって生じる限定的な減衰が得られるだけである。図３ｂ。エラストマー部材３が内向きに屈曲する結果、上記ローラ２０に対するドクターブレード５の接触の追加的な補償が同時に行われる。
【００３３】
さらなる実施形態では、エラストマー部材３、４は、ドクターブレード５の一部分を導入する切れ目を付けた一体部品に形成されることができるであろう。
【００３４】
図４ａ及び図４ｂは、本発明の第４実施形態によるドクターブレード締め付け装置１を示し、締め付け部分２は、「硬質」ウェッジストリップ３、４によってドクターブレード５を収容するための深いスリット６を備えている。
【００３５】
先行の実施形態に記載されているように、ブレードが「軟質」弾性ウェッジストリップ３、４によって保持される、ドクターブレード５用の浅いスリット６、たとえば５〜８ｍｍ、言い換えると、この場合は２２〜２５ｍｍであるブレードの幅の約３０％のスリット６を有する締め付け部分２と異なり、より深いスリット６、たとえばブレードの幅のさらに３０〜５０％のより深いスリット６を有する締め付け部分２は、たとえばＰＶＣ材料製の少なくとも１つの大幅に硬質にしたウェッジストリップ３’を使用してもよく、締め付け部分２のシャンク（複数可）２’、２”が弾性的に構成されて、締め付け部分２の弾性的且つ締め付け作用に貢献する。この弾性により、硬質のウェッジストリップ３’を、スリットに押し込んでその内部のロックを通過させることにより、取り付けることができる。スリット６のシャンクがウェッジストリップ３’によってプレストレスを受けているとき、締め付け力が実現されて、ドクターブレードを摩擦によって所定位置に保持する。
【００３６】
締め付け部分２内のスリット６は、その上部が「軟質」ウェッジストリップ６の場合のより浅いスリット６に似たような形を有するであろう。さらに、スリット６は、ドクターブレードを支持するための段差部、又はブレードを支持するための弾性材料製の「バー」用の凹部を、言い換えるとＬ−プロファイルの足部だけを有してもよい。それから、スリット６は締め付け部分２内にさらに進んで細いスリット６の形をとり、疲労強度を増すために終端を押縁７にしてもよい。減衰作用を得るため、且つインキが締め付け部分２内に貫入してそのクリーニングをより困難にすることを防止するために、スリットのこの部分にエラストマー部材材料製の発泡ストリップ４’を有利に詰めることができる。
【００３７】
このように、第４実施形態によれば、締め付け手段は、弾性シャンク（複数可）２’、２”を有し、適用可能である場合、弾性底部支持体４’も有する。
【００３８】
ウェッジストリップ／エラストマー部材３、４、４ｂは、厚さが０．０６〜２ｍｍ、好ましくは０．１０〜０．２０ｍｍの、すなわち、薄い可撓性材料のドクターブレードの使用を意図している。
【００３９】
新しいブレード締め付け方法は、チャンバードクターブレードを形成するまったく新しい可能性も与える。図５は、ほぼＵ字形の薄板プロファイル(sheet  profile)１０の形をした、チャンバードクターブレードシステムのフレームの支持部分１０の端部分１０’、すなわちシャンク１０’に被せて取り付けられた押し出しアルミニウム内の２つのプロファイル成形品(profile  moulding)２の形をした２つの締め付け部分２を有する、ステンレス鋼板材製のチャンバードクターブレードシステム９を示す。
【００４０】
アルミニウム製のプロファイル成形品２は、独自のウェッジストリップ／エラストマー部材１１で薄板シャンク１０’に取り付けられ、プロファイル成形品は、シャンクを導入して締め付けるスリット１２を有する。アルミニウムプロファイル成形品２はＵ字形薄板プロファイル１０のシャンク１０’に固定されていると見なされることができるので、このウェッジストリップ１１はより強力な締め付けを与える。
【００４１】
締め付け部分２、たとえばアルミニウム製のプロファイル成形品２は、それが損傷した場合、さほど苦労しないで取り外し及び交換が行われるであろう。結合にスロットがあると、印刷インキが貫入してクリーニングの問題を生じる可能性があるので、結合からスロットを完全になくすために、毛管作用を有するグルー／接着剤をプロファイル成形品／薄板間に設けることで、結合を補ってもよい。
【００４２】
上述したように、ドクターブレードは、独自のウェッジストリップ／エラストマー部材３、４構造で取り付けられる。
【００４３】
図６は、チャンバードクターブレードの第２実施形態を示し、この場合、別の形式の締め付け部分２が、つば付きのステンレス鋼板プロファイルにねじ付けられている。この解決策は、ステンレス鋼板プロファイルをより剛直に製造しなければならないような、より大きく長いチャンバーに適する。本実施形態でも、破損した場合、アルミニウムプロファイルを交換することができる。
【００４４】
ドクターブレードは、上記のものと同様に、独自のウェッジストリップ／エラストマー部材３、４構造で取り付けられる。
【００４５】
締め付け部分２及び薄板プロファイル４はもちろん、任意の適当な材料製でよく、また一体状に合わせて形成されてもよい。
【００４６】
本発明による方法は、システムの機能及び他の構造とともに、上記説明から実質的に明らかになっているはずである。
【００４７】
したがって、基本的着想によれば、ドクターブレードに減衰作用を与え、且つ取り付け及び取り外しを極端に簡単にする少なくとも１つの弾性締め付け手段によって、ドクターブレードが締め付け部分内に保持される。ブレードをスリットに挿入し、その後、好ましくは潤滑剤で処理されている弾性締め付け手段を、スリットの一端部から他端部へ少しずつ導入するが、その導入はスリットの長手方向に対してほぼ垂直に行われる。取り外しはその逆で行われる。
【００４８】
さらに、本発明は、ドクターブレードの、重要である非常に明確に規定された用例を提供し、且つローラ及びブレード間を均一に接触させる。
【００４９】
ドクターブレード及び拭いローラ間の均一な接触は、ドクターブレード及びローラ間に低い接触圧力を使用できるようにするために絶対的に必要であり、また低い接触圧力は、ドクターブレード及びローラ表面の寿命を長くするのに必要な条件である。
【図面の簡単な説明】
【００５０】
【図１】図１ａは、本発明の第１実施形態によるドクターブレード締め付け装置の断面図である。図１ｂは、図１ａによるドクターブレード締め付け装置の、エラストマー部材の一部分が取り外されている状態での断面図である。図１ｃは、図１ａによるドクターブレード締め付け装置の、ローラの一部が移動している状態での断面図である。
【図２】図２ａは、本発明の第２実施形態によるドクターブレード締め付け装置の断面図である。図２ｂは、図２ａによるドクターブレード締め付け装置の、エラストマー部材の一部分が取り外されている状態での断面図である。
【図３】図３ａは、本発明の第３実施形態によるドクターブレード締め付け装置の断面図である。図３ｂは、図３ａによるドクターブレード締め付け装置の、ブレードが曲げ力を受けている状態での断面図である。図３ｃは、図３ａによるドクターブレード締め付け装置の、エラストマー部材が取り外されている状態での断面図である。
【図４】図４ａは、本発明の第４実施形態によるドクターブレード締め付け装置の断面図である。図４ｂは、図４ａによるドクターブレード締め付け装置の、ウェッジストリップの一部分が取り外されている状態での断面図である。
【図５】図５は、締め付け部分が支持部分に対して弾性的に配置され、一例として上記第３実施形態に従ってドクターブレードが締め付け部分に対して配置されているチャンバードクターブレードの断面図である。
【図６】図６は、締め付け部分が支持部分に固定され、一例として上記第３実施形態に従ってドクターブレードが締め付け部分に対して配置されているチャンバードクターブレードの断面図である。
【図１ａ】
2007516874.tif 000003
【図１ｂ】
2007516874.tif 000004
【図１ｃ】
2007516874.tif 000005
【図２ａ】
2007516874.tif 000006
【図２ｂ】
2007516874.tif 000007
【図３ａ】
2007516874.tif 000008
【図３ｂ】
2007516874.tif 000009
【図３ｃ】
2007516874.tif 000010
【図４ａ】
2007516874.tif 000011
【図４ｂ】
2007516874.tif 000012
【図５】
2007516874.tif 000013
【図６】
2007516874.tif 000014
【国際調査報告】
2007516874.tif 000015
2007516874.tif 000016
2007516874.tif 000017